(57)【要約】  人体との接触のための導電性接触部と、ユーザの前記導電性接触部との人体接触を検知し、前記ユーザの人体接触によって選択された広告と関連するコンテンツであるユーザ接触関連コンテンツを獲得するよう構成された制御部と、獲得されたユーザ接触関連コンテンツを人体通信用信号に変換し、前記導電性接触部及びユーザの体を介して前記信号をユーザの端末に送信するよう構成された人体通信部とを含む、人体通信を利用したメディア広告サービスを提供するための装置が提供される。
2010511959.tif 000002
【特許請求の範囲】
【請求項１】
人体との接触のための導電性接触部と、
ユーザの前記導電性接触部との人体接触を検知し、前記ユーザの人体接触によって選択された広告と関連するコンテンツであるユーザ接触関連コンテンツを獲得するよう構成された制御部と、
獲得したユーザ接触関連コンテンツを人体通信用信号に変換し、前記導電性接触部及びユーザの体を介してユーザ端末に前記信号を送信するよう構成された人体通信部と
を備えることを特徴とする人体通信を利用したメディア広告サービスを提供する装置。
【請求項２】
前記導電性接触部は、広告媒体に取り付けることができるラベル型であることを特徴とする請求項１に記載の装置。
【請求項３】
前記導電性接触部は、外部のディスプレイ装置の画面上の特定座標に位置することを特徴とする請求項１に記載の装置。
【請求項４】
広告を表示するための表示部をさらに備え、前記表示部は、前記導電性接触部と一体化されていることを特徴とする請求項１に記載の装置。
【請求項５】
前記制御部は、広告関連コンテンツを前もって保存しておき、前記制御部は、前記制御部が前記ユーザの人体接触を検知するとき、保存された広告関連コンテンツを検索して前記ユーザ接触関連コンテンツを獲得することを特徴とする請求項１に記載の装置。
【請求項６】
外部のコンテンツ提供サーバにアクセスするよう構成されたネットワーク接続部をさらに備えることを特徴とする請求項１に記載の装置。
【請求項７】
前記制御部は、前記ネットワーク接続部を介して前記コンテンツ提供サーバから広告関連コンテンツを受信して、受信した広告関連コンテンツを保存し、
前記制御部は、前記制御部が前記ユーザの人体接触を検知するとき、保存された広告関連コンテンツを検索して前記ユーザ接触関連コンテンツを獲得することを特徴とする請求項６に記載の装置。
【請求項８】
前記制御部は、新しい広告が表示されるごとに、対応する広告関連コンテンツを前記コンテンツ提供サーバから受信することを特徴とする請求項７に記載の装置。
【請求項９】
前記制御部は、前記ユーザの人体接触が検知されるとき、前記コンテンツ提供サーバにアクセスし、検知した前記ユーザの人体接触に対応するユーザ接触関連コンテンツを受信することを特徴とする請求項６に記載の装置。
【請求項１０】
前記制御部は、各広告に対するユーザアクセス頻度についての情報を獲得することを特徴とする請求項１に記載の装置。
【請求項１１】
前記制御部は、各広告に対するユーザアクセス頻度についての情報を獲得し、前記ネットワーク接続部を介して前記コンテンツ提供サーバに前記情報を送信することを特徴とする請求項６に記載の装置。
【請求項１２】
前記ユーザ接触関連コンテンツは、広告コンテンツ、クーポン、広告コンテンツに対応するアクセスのためのアクセスコード、及びインターネットアドレスのうちの少なくとも１つを含むことを特徴とする請求項１に記載の装置。
【請求項１３】
広告媒体を有するユーザの人体接触を検知するステップと、
前記ユーザの接触が検知されるとき、ユーザ接触関連コンテンツを獲得するステップであって、前記ユーザ接触関連コンテンツは、前記ユーザの接触によって選択された広告と関連したコンテンツであるステップと、
獲得したユーザ接触関連コンテンツを人体通信用信号に変換し、人体通信を介してユーザ端末に前記信号を送信するステップと
を備えることを特徴とする人体通信を利用したメディア広告サービスを提供する方法。
【請求項１４】
前記人体接触を検知するステップは、前記広告媒体に取り付けられた導電性接触部を介して人体接触を検知するステップを含むことを特徴とする請求項１３に記載の方法。
【請求項１５】
前記ユーザ接触関連コンテンツを獲得するステップは、前もって保存された広告関連コンテンツを検索して、前記ユーザ接触関連コンテンツを獲得するステップを含むことを特徴とする請求項１３に記載の方法。
【請求項１６】
前記ユーザ接触関連コンテンツを獲得するステップは、新しい広告が表示されるごとに、広告関連コンテンツをコンテンツ提供サーバから受信するステップと、受信した広告関連コンテンツを保存するステップとを含むことを特徴とする請求項１５に記載の方法。
【請求項１７】
前記ユーザ接触関連コンテンツを獲得するステップは、前記ユーザの人体接触が検知されるとき、コンテンツ提供サーバにアクセスして、前記ユーザの人体接触に対応するユーザ接触関連コンテンツを獲得するステップを含むことを特徴とする請求項１３に記載の方法。
【請求項１８】
各広告に対するユーザアクセス頻度についての情報を獲得するステップと、前記情報をコンテンツ提供サーバに送信するステップとをさらに備えることを特徴とする請求項１３に記載の方法。
【発明の詳細な説明】
【技術分野】
【０００１】
本発明は、人体通信を利用したメディア広告サービスを提供する装置及び方法に関し、より詳細には、ユーザが広告媒体、例えば、広告のポスター又は電子ディスプレイ・ボードに接触するとき、人体通信を介してユーザが興味のある広告と関連する様々なコンテンツをユーザ、即ちユーザ端末に提供することによって広告効果を最大化するよう構成された、人体通信を利用したメディア広告サービスを提供する装置及び方法に関する。
【０００２】
本研究は、情報通信部及び情報通信研究振興院のＩＴ研究開発プログラムによりサポートされた［２００６−Ｓ−０７２−０１、「人体通信用コントローラＳｏＣ」］。
【背景技術】
【０００３】
最近、技術発展及び社会構造の多様化は、種々の商品又はサービスの出現をもたらしている。技術が一般化及び均等化されるにつれて、商品及びサービス等の販売において広告がますます重要と考えられている。
【０００４】
しかしながら、一般的な広告の大部分は、印刷媒体若しくは電子ディスプレイ・ボード上のメッセージ若しくは静止画、又はＴＶ等の様々な映像媒体上で再生される動画に限られている。
【０００５】
一般的な広告技術は、広告はメッセージを一方的に配信するため、ユーザとの相互作用の欠如という欠点を有する。また、広告と関連するコンテンツは、同種の物及び広告媒体が位置した空間に限定される。
【０００６】
即ち、一般的な広告は以下の問題を有する。一方的なメッセージ配信によるユーザとの相互作用の欠如、広告関連コンテンツの多様性の不足、及び広告媒体の空間的な制約によって引き起こされる広告の限界である。
【発明の概要】
【発明が解決しようとする課題】
【０００７】
本発明の実施形態は、ユーザが広告媒体、例えば、広告のポスター又は電子ディスプレイ・ボードに接触するとき、人体通信を介してユーザが興味のある広告と関連する様々なコンテンツをユーザ、即ちユーザ端末に提供することによって広告効果を最大化するよう構成された、人体通信を利用したメディア広告サービスを提供する装置及び方法を提供することに、向けられている。
【０００８】
本発明の他の目的及び利点は、以下の説明により理解することができ、本発明の実施形態に関連して明らかになるだろう。また、本発明の目的及び利点が、特許請求項及びその組合せによって実現できることは、本発明の当業者にとって明白である。
【課題を解決するための手段】
【０００９】
本発明の態様に従って、人体との接触のための導電性接触部と、ユーザの導電性接触部との人体接触を検知し、ユーザの人体接触によって選択された広告と関連するコンテンツであるユーザ接触関連コンテンツを獲得するよう構成された制御部と、獲得したユーザ接触関連コンテンツを人体通信用信号に変換し、導電性接触部及びユーザの体を介してユーザ端末に信号を送信するよう構成された人体通信部とを含む、人体通信を利用したメディア広告サービスを提供する装置が提供される。
【００１０】
本発明の別の態様に従って、ユーザの広告媒体との人体接触を検知するステップと、ユーザの接触が検知されるとき、ユーザ接触によって選択された広告と関連するコンテンツであるユーザ接触関連コンテンツを獲得するステップと、獲得したユーザ接触関連コンテンツを人体通信用信号に変換し、人体通信を介してユーザ端末に信号を送信するステップとを含む、人体通信を利用したメディア広告サービスを提供する方法が提供される。
【発明の効果】
【００１１】
本発明の実施形態により、ユーザが自身の関心を持っている広告を提供する広告媒体に接触するとき、ユーザは人体通信を介して広告媒体から様々な広告関連のコンテンツをダウンロードすることができるため、広告の効果を最大にする。
【００１２】
例えば、ユーザが関心のある映画ポスターの広告板に接触するとき、ユーザは人体通信を介して関連する宣伝コンテンツをダウンロードすることができ、２４時間そのコンテンツを再生する。関心を持っているユーザは即座に関連情報を提供されるので、対応する広告への関心を増加させることができる。
【００１３】
本発明の実施形態により、広告板とのユーザの接触の記録に基づいて、ユーザの広告に対する反応を統計的に予測することができる。
【００１４】
本発明の実施形態により、様々な個人用エンターテインメントを、例えばバス又は地下鉄のような輸送機関を待つ消費者に、提供することができる。
【００１５】
本発明の実施形態により、ユーザは、獲得するための特別な方法を必要とすることなく、例えば広告板に接触するだけで関連情報を獲得することができるので、使用における便利性を高めることができる。
【図面の簡単な説明】
【００１６】
【図１】本発明の実施形態に係る人体通信を利用したメディア広告サービスを説明するための図である。
【図２】本発明の実施形態に係る人体通信を利用したメディア広告サービスを説明するための図である。
【図３】本発明の実施形態に係る人体通信を利用したメディア広告サービスを提供するための装置のブロック図である。
【発明を実施するための形態】
【００１７】
本発明の利点、特徴及び態様は、以下で説明される、添付の図面と関連した実施形態についての次の詳細な説明から明確になるだろう。従って、本発明の属する技術分野における通常の知識を有する者は本発明の技術的な思想及び範囲を容易に具体化することができる。加えて、関連技術に対する詳細な説明が本発明の要点を曖昧にすると考えられる場合、その詳細な説明は本明細書では提供しない。以下、添付の図面に関して本発明に係る好ましい実施形態を詳細に説明する。
【００１８】
図１及び図２は、本発明の実施形態に係る人体通信を利用したメディア広告サービス説明する図面である。図１では、広告媒体が電子ディスプレイ・ボードであり、図２では、広告媒体が広告ポスターである。
【００１９】
本発明の実施形態に従って、ユーザ１２が、関心を持っている電子ディスプレイ・ボード又はポスターの広告媒体１０の特定部分１０１又は１１１乃至１１４に触れるとき、ユーザは、人体通信を介して、音楽、ゲーム、クーポン、動画、又は写真のような広告と関連するコンテンツ（以後、広告関連コンテンツと呼ぶ）をダウンロードすることができる。これによって、ユーザ１２は、電子ディスプレイ・ボード等の広告媒体１０に接触するだけで、人体通信を介して自身の携帯端末機１４に広告関連コンテンツをダウンロードすることができる。
【００２０】
本発明の実施形態に従って、導電性接触部はユーザの接触を検知する。導電性接触部が様々な位置１１１乃至１１４に設置される場合、ユーザに様々な広告関連コンテンツを提供することができる。
【００２１】
即ち、１つの広告媒体に複数の導電性接触部が取り付けられた場合、１つの広告媒体から様々な広告関連コンテンツを提供することができる。例えば、ユーザが広告ポスターの右側の上方隅に触れた場合、ミニゲームを伝送することができ、左側の下方隅に触れた場合、デモソングを伝送することができる。このような概念を宝探しゲームとして適用して、ユーザの関心を誘発させることができ、より多くのユーザの参加を導くことができる。
【００２２】
以下、本発明の例示的な実施形態について説明する。
【００２３】
映画広告媒体、例えば、本発明の実施形態を採用するＰＤＰ（プラズマ・ディスプレイ・パネル）ＴＶのようなメディア配布システム（図３参照）は、地下鉄駅に設置される。導電性表面、即ち、図３の導電性接触部２０１は、ディスプレイ画面の特定座標に配置される。導電性表面はラベル型に構成されて、肉眼に対し弁別的ではない。ラベル型の導電性表面を広告画面に取り付けて、スパイダーマン携帯電話機ゲーム、スパイダーマンサウンドトラック、スパイダーマン映画チケット割引クーポン、映画の予告編ダウンロード、及び映画チケット予約等のサービスを提供することができる。
【００２４】
広告媒体画面上でスパイダーマンの予告編を再生することができ、又はスパイダーマンのポスターをその上に表示することができる。ユーザ携帯端末機１４を持つユーザがそのようなスパイダーマンの広告に関心がある場合、一方の手で広告媒体のラベル即ち、導電性接触部に触れながら、他方の手でユーザ携帯端末機１４のタッチアンドプレイ（ｔｏｕｃｈ  ａｎｄ  ｐｌａｙ）ボタンを押す。
【００２５】
すると、ユーザ携帯端末機１４は、広告関連コンテンツデータをユーザの人体を介して受信、即ち、ダウンロードして、ベル音のようなオーディオフィードバックまたは振動のような触覚フィードバックを行うか、あるいは端末機の画面上にプロセス状況を表示する。
【００２６】
ユーザが映画の予告編を受信する場合、その予告編はユーザ携帯端末機１４の図３の保存部１１４に保存され、ユーザの選択によって再生される。
【００２７】
本発明の実施形態によるメディア広告サービスを提供する図３の装置２０によって提供される広告関連コンテンツのうちのサウンドトラックに対しては、ＤＲＭ（Ｄｉｇｉｔａｌ  Ｒｉｇｈｔｓ  Ｍａｎａｇｅｍｅｎｔ）を使用して、それに関する再生を、所定期間、例えば３日、又は所定回数、例えば合計５回に制限することができる。期間又は回数のような所定条件が無効となって再生ができない場合、対応する広告板にユーザが再接触することにより、新しい再生条件を設定することができる。
【００２８】
広告関連コンテンツのうちの映画チケット割引クーポン用に、ユーザ携帯端末機１４は、バーコードリーダーで読み出し可能な画像ファイルとしてクーポンを保存することができる。
【００２９】
ユーザが接触により「映画チケット予約」を選択する場合は、映画チケット予約のためのホームページのインターネットアドレス（ＵＲＬ）がユーザ携帯端末機１４に転送されて、ユーザは映画チケットを予約することができる。
【００３０】
映画広告媒体に採用された本発明の実施形態に従って、図３のメディア保存部２０４及び図３のネットワーク接続部２０５が含まれる。このため、映画「スパイダーマン」を広告するために、図３のコンテンツ提供サーバ２２からスパイダーマンのデータを広告のためにダウンロードすることができる。また、映画「スーパーマン」を広告するために、図３のコンテンツ提供サーバ２２からスーパーマンのデータを広告のためにダウンロードすることができる。
【００３１】
図３は、本発明の実施形態に係る人体通信を利用したメディア広告サービスを提供する装置のブロック図である。
【００３２】
ユーザが導電性接触部２０１に接触するとき、人体通信を利用したメディア広告サービス提供装置２０は、接触位置に対応する広告と関連したコンテンツ（以下、広告関連コンテンツと呼ぶ）を、人体通信を介してユーザ携帯端末機１４に送信する。
【００３３】
ここではユーザの携帯端末機１４について説明する。
【００３４】
ユーザ携帯端末機１４は、人体通信のためのＲｘ／Ｔｘモジュールである、人体通信モジュールを含む種々の端末機のうちの一つであってよい。図３に示すように、ユーザ携帯端末機１４は、制御部１４１、ユーザ入力部１４２、人体通信部１４３、保存部１４４、ディスプレイ部１４５、サウンド出力部１４６、触覚出力部（ｈａｐｔｉｃ  ｏｕｔｐｕｔ  ｐａｒｔ）１４７、ＤＲＭ（Ｄｉｇｉｔａｌ  Ｒｉｇｈｔｓ  Ｍａｎａｇｅｍｅｎｔ）部１４８を含む。ユーザ携帯端末機１４は、人体通信機能を含む既存の携帯端末機と基本的に同一である。
【００３５】
特に、人体通信のプロセス状況をユーザに知らせるために、ユーザ携帯端末機１４は、ビジュアルフィードバック、オーディオフィードバック、又は振動の大きさ若しくは周波数等を用いる触覚フィードバック（ｈａｐｔｉｃ  ｆｅｅｄｂａｃｋ）を行うことができる。
【００３６】
また、ユーザ携帯端末機１４は、人体通信を介して収集された様々なコンテンツを保存部１４４に保存及び管理し、広告関連コンテンツの管理及び再生を容易にする。
【００３７】
ここでは、本発明の実施形態に係る人体通信を利用したメディア広告サービス提供装置２０が、メディア広告サービス提供装置２０内で実行されるメディア広告サービスを提供する方法と共に、詳細に説明される。
【００３８】
本発明の実施形態に係るメディア広告サービス提供装置２０は、導電性接触部２０１、制御部２０２、人体通信部２０３、メディア保存部２０４、ネットワーク接続部２０５、及び電源部２０６を含む。
【００３９】
導電性接触部２０１は、ユーザとの人体接触のための部分である。導電性接触部２０１は、ラベル型で構成することができ、広告媒体、例えば、広告ポスターの特定位置又はディスプレイ装置の画面上の特定座標に、取り付けることができる。導電性接触部２０１は、２次元の表面又は３次元の表面として構成することができる。
【００４０】
制御部２０２は、ユーザと導電性接触部２０１から人体接触が発生するかどうかを検知する。ユーザの接触が検知された場合、制御部２０２は、ユーザの接触によって選択された広告、即ち、ユーザが接触する位置に対応する広告と関連したコンテンツを獲得する。以下、そのようなコンテンツを、ユーザ接触関連コンテンツという。ユーザ接触関連コンテンツは、広告関連コンテンツ、クーポン、広告関連コンテンツへのアクセスのためのアクセスコード、及び予約サイトのインターネットアドレス又はコンテンツ購買サイトのインターネットアドレス等のインターネットアドレスを含む。
【００４１】
つまり、制御部２０２は、メディア保存部２０４に広告関連コンテンツをあらかじめ保存する。ユーザの接触を検知するとき、制御部２０２は、保存された広告関連コンテンツの中からユーザが選択したコンテンツ、即ち、ユーザ接触関連コンテンツを検索する。次いで、制御部２０２は、ユーザ関連コンテンツを人体通信部２０３に送信する。
【００４２】
実施形態の中には、メディア広告サービス提供装置２０は、外部コンテンツ提供サーバ２２にアクセスするためのネットワーク接続部２０５をさらに含むことができる。この場合、制御部２０２は、ネットワーク接続部２０５を介してコンテンツ提供サーバ２２から広告関連コンテンツを受信して、メディア保存部２０４にこの広告関連コンテンツを保存する。ユーザの接触がある場合、制御部２０２は、この保存された広告関連コンテンツの中からユーザによって選択されたコンテンツ、即ち、ユーザ接触関連コンテンツを検索して、このユーザ接触関連コンテンツを人体通信部２０３に送信することができる。特に、制御部２０２は、新しい広告が表示されるごとに、コンテンツ提供サーバ２２から対応する広告と関連するコンテンツを受信して保存する。
【００４３】
他の実施形態では、ユーザの接触を検知した場合、次に制御部２０２は、ネットワーク接続部２０５を介しコンテンツ提供サーバ２２にアクセスしてユーザ接触関連コンテンツを受信し、このコンテンツを人体通信部２０３に送信する。
【００４４】
人体通信部２０３は、人体通信のための送受信を行なう。特に、人体通信部２０３は、制御部２０２で獲得したユーザ接触関連コンテンツを人体通信用信号に変換し、導電性接触部２０１を介してユーザの体１２の方にこの信号を送信する。この広告関連コンテンツは、ユーザの体を介してユーザ携帯端末機１４に伝達される。
【００４５】
電源供給ができない場所に広告媒体がある場合は、メディア広告サービス提供装置２０に電源部２０６をさらに備えて、場所的な制約を克服し人体通信を利用したメディア広告サービスを提供することができる。
【００４６】
広告に関心を持っているユーザのグループ及びユーザの接触頻度を統計的に分析するために、制御部２０２は、各広告に対しユーザ接触情報を獲得してその中に保存するか、又はネットワーク接続部２０５を介してコンテンツ提供サーバ２２にユーザ接触情報を送信する。ユーザが広告に接触、即ち、反応した回数は、広告の効果を比例的に反映していると考えることができる。従って、このことは、広告主が広告効果に応じて広告に対し差別的に支払うことを可能にする。
【００４７】
図３を参照して、広告ポスターのような別個の広告媒体に取り付け可能な、ラベル型導電性接触部２０１を含むメディア広告サービス提供装置２０が説明されてきた。しかしながら、いくつかの実施形態では、メディア広告サービス提供装置２０は、導電性接触部を含むディスプレイ部（図示せず）を含むことができる。このディスプレイ部は、その表面上に人体通信のための導電性タッチパネルを含むことができる。
【００４８】
メディア広告サービス提供装置２０は、人体通信のための導電性接触部を含むディスプレイ部を含むので、メディア広告サービス提供装置２０は、広告ディスプレイ機能及び人体接触を用いた人体通信機能の両方を実行することができる。
【００４９】
本発明の実施携帯では、データの伝送距離が約１０ｃｍに限定される電気通信技術が使用される。そのような電気通信技術の例は、人体通信、ＮＦＣ（Ｎｅａｒ  Ｆｉｅｌｄ  Ｃｏｍｍｕｎｉｃａｔｉｏｎ）、ＵＷＢ（Ｕｌｔｒａ−Ｗｉｄｅ  Ｂａｎｄ）通信、及びＲＦＩＤ（Ｒａｄｉｏ  Ｆｒｅｑｕｅｎｃｙ  Ｉｄｅｎｔｉｆｉｃａｔｉｏｎ）通信が含まれる。
【００５０】
前述のように、本発明の技術は、プログラムとして実現することができる。このプログラムを構成するコード及びコードセグメントは、本発明に関係する分野の通常の能力を有するプログラマーによって容易に解釈することができる。このプログラムは、コンピュータ可読記録媒体、即ち、情報保存媒体に保存され、実行されて本発明の技術を実現する。コンピュータ可読記録媒体の例は、コンピュータ可読記録媒体の全ての種類を含む。
【００５１】
本願は、それぞれ２００６年１２月６日及び２００７年１１月５日に韓国特許庁に出願された、韓国特許出願第２００６−０１２３２３７号及び第２００７−０１１２２１０号に関する主題を含み、それらの全ての内容は参照により本願に組み込まれる。
【００５２】
本発明が特定の好ましい実施形態に関し説明されてきたが、以下の特許請求の範囲に定義されるように本発明の範囲から逸脱しなければ、様々な変化及び変更を行うことができることは、当業者にとって明らかであろう。
【図１】
2010511959.tif 000003
【図２】
2010511959.tif 000004
【図３】
2010511959.tif 000005
【国際調査報告】
2010511959.tif 000006
2010511959.tif 000007